(57)【特許請求の範囲】
【請求項１】
レンチキュラーレンズが複数の列で配置されるパターン層を備える装飾シートであって、
前記複数の列のうちの少なくとも１つは、前記レンチキュラーレンズが連続的でない少なくとも１つの不連続レンズ部を有し、
個々のレンチキュラーレンズは、縦列配置された凸面マイクロレンズが部分的に互いにオーバーラップして、それによって、接続される形状を有することができ、
前記パターン層の列方向と平行な断面において、２つの隣接するマイクロレンズがオーバーラップするポイントのところで前記２つのマイクロレンズの表面に接線が描かれるとき、前記接線間の角度が、１５０°から１８０°未満に及ぶ、
装飾シート。
【請求項２】
前記パターン層が、２つ以上の前記不連続レンズ部を有し、
前記２つ以上の不連続レンズ部が、前記パターン層においてランダムな位置に配置される、請求項１に記載の装飾シート。
【請求項３】
前記パターン層が、１ｃｍ2当たり１０個から３０００個の量の前記不連続レンズ部を含む、請求項２に記載の装飾シート。
【請求項４】
前記パターン層が、１ｃｍ2当たり１００個から１０００個の量の前記不連続レンズ部を含む、請求項２に記載の装飾シート。
【請求項５】
前記パターン層が、２つ以上の前記不連続レンズ部を有し、
前記２つ以上の不連続レンズ部が、規則的なパターン、画像、図形、または文字の形態で配置される、請求項１に記載の装飾シート。
【請求項６】
前記複数の列の各々が、５μｍから３００μｍの幅を有する、請求項１に記載の装飾シート。
【請求項７】
前記レンチキュラーレンズが、前記パターン層の列方向に垂直な断面において、円錐定数値によって決定された非球面レンズの断面形状を有する、請求項１に記載の装飾シート。
【請求項８】
前記パターン層の一方の面に形成された基層と、
前記基層の他方の面に形成された接着剤層と
をさらに備える、請求項１に記載の装飾シート。
【請求項９】
前記マイクロレンズが互いにオーバーラップするポイント間の距離が、同じ列においてランダムに変更される、請求項１に記載の装飾シート。
【請求項１０】
前記マイクロレンズが互いにオーバーラップするポイントの高さが、同じ列においてランダムに変更される、請求項１に記載の装飾シート。
【請求項１１】
前記マイクロレンズが、平面図において頭部、本体、および尾部の３つの部分に分けられ、これらの３つの部分が、互いに一体化して接続され、前記頭部および前記尾部が、同じ長さを有し、前記本体が、１０μｍから３０００μｍの長さを有し、前記頭部および前記尾部は、幅が端部に向かって狭くなる形状を有し、前記本体が、全体的に同じ幅を有し、前記本体の前記幅に対する前記頭部または前記尾部の前記長さの比が、０．１から１．５の範囲にある、請求項１に記載の装飾シート。
【請求項１２】
基層上にパターン層を形成することを備える、装飾シートを製造するための方法であって、レンチキュラーレンズが前記パターン層に複数の列で配置され、前記複数の列のうちの少なくとも１つは、前記レンチキュラーレンズが連続的でない少なくとも１つの不連続レンズ部を有し、個々のレンチキュラーレンズは、縦列配置された凸面マイクロレンズが部分的に互いにオーバーラップして、それによって、接続される形状を有することができ、前記パターン層の列方向と平行な断面において、２つの隣接するマイクロレンズがオーバーラップするポイントのところで前記２つのマイクロレンズの表面に接線が描かれるとき、前記接線間の角度が、１５０°から１８０°未満に及ぶ、装飾シートを製造するための方法。
【請求項１３】
前記パターン層が、
実現されるべきデザインを白黒画像に変えるステップと、
反転画像を生成するために前記白黒画像の黒部分と白部分とを反転させるステップと、  前記反転画像の前記黒部分にレンチキュラーレンズを割り当て、前記反転画像の前記白部分に不連続レンズ部を割り当てるようにパターン加工装置をプログラムするステップと、
前記パターン加工装置によって前記基層上にパターン層を形成するステップと
によって形成される、請求項１２に記載の装飾シートを製造するための方法。
【発明の詳細な説明】
【技術分野】
【０００１】
本発明は、家電製品または電子デバイスの外装材に張りつけられる装飾シートに関する。より具体的には、本発明は、レンチキュラーレンズのパターン層を有する装飾シートに関する。
【背景技術】
【０００２】
装飾シート（またはデコシート）は、テレビ、冷蔵庫、空気調節装置などの家電製品またはスマートフォン、タブレットなどのような電子デバイスの外装材に張りつけられ、それによって、所望の色およびパターンを示すことができる。装飾シートは、一般に、基層としてのＰＥＴなどのフィルム、様々なパターンを示すためのパターン層、色を示すための印刷層、色および金属効果を示すための蒸着層、接着剤層などによって構成される。その構造は、ラミネーション順序、製造プロセス、および材料に関して様々な方法で変更され得る（韓国特許第０８９６６２３号を参照）。
【０００３】
装飾シートが張りつけられる表面は、金属板、プラスチック、ガラスなどであり得、それに応じて、装飾シートの接着性は調節され得る。比較的容積の大きい家電製品は、主として、鋼鈑の外装材を使用し、特定の形状を形成するためにプレス成形などの後続の処理を必要とする。したがって、強い接着強度を有する装飾シートが必要とされる。他方、サイズの小さいモバイルデバイスは、主として、ガラスまたはプラスチックの外装材を使用するので、接着強度の弱い装飾シートが使用され得る。加えて、ガラス材料の外装材では、飛散防止機能を果たすことができる接着強度をもつ装飾シートが必要とされる。
【０００４】
装飾シートは、金属効果パターン、ソフト感パターンなどのような様々なパターン層を有する。
【０００５】
一方では、レンチキュラーレンズパターンは、細長い形状と、半円、楕円、双曲線などの断面とを有するレンズを配置することによって形成される。従来、それは、主として、輝度の増強などの光学的機能のために使用されたが、一方、最近、色調および奥行き感を与えるために装飾シートに取り入れられている。
【０００６】
しかしながら、レンチキュラーレンズパターンそれ自体はデザインを実現することが困難であるので、印刷層などが、追加として、装飾シート上に形成されなければならない。加えて、レンチキュラーレンズに固有の透明特性に起因して、異物またはスクラッチなどの不良現象がかなり認識され、それは、生産歩留りなどに関して不利である。
【発明の概要】
【０００７】
したがって、本発明の目的は、レンチキュラーレンズの色および奥行き感を維持しながら、それ自体がデザインを実現することができ、さらに不良視認性を低減することができるパターン層を有する装飾シートと、装飾シートを製造するための方法とを提供することである。
【０００８】
上述の目的に応じて、本発明は、レンチキュラーレンズが複数の列で配置されるパターン層を備える装飾シートを提供し、複数の列のうちの少なくとも１つは、レンチキュラーレンズが連続的でない少なくとも１つの不連続レンズ部を有する。
【０００９】
上述の目的に応じて、本発明は、基層上にパターン層を形成することを備える、装飾シートを製造するための方法を提供し、レンチキュラーレンズはパターン層に複数の列で配置され、複数の列のうちの少なくとも１つは、レンチキュラーレンズが連続的でない少なくとも１つの不連続レンズ部を有する。
【００１０】
本発明による装飾シートは、レンチキュラーレンズパターンに不連続レンズ部を挿入することによって、不良視認性を低減し、生産性を改善することができる。
【００１１】
加えて、不連続レンズ部は、ランダムに配置されるか、または文字、形状などを形成するように配置され、その結果、レンチキュラーレンズに固有の色および奥行き感に加えてパターン感を提供することが可能である。特に、従来の装飾シートは、印刷層によって文字および形状を形成しているが、本発明による装飾シートは、印刷層ではなくレンチキュラーレンズのパターン層のみによってそれを実現することができる。
【００１２】
加えて、縦列配置された凸面マイクロレンズが部分的に互いにオーバーラップして、それによって、ランダムに接続される形状を有するように個々のレンチキュラーレンズが構成される場合、隠蔽力と光学特性の両方が改善されるとともに、不必要な皺、意図しないパターン認識、ウエットアウトなどのような現象を防止することが可能である。
【００１３】
加えて、装飾シートは接着剤層を有することができ、その結果、接着剤層は、さらに、例えば、張りつけられているガラスの表面に対して飛散防止機能を実行することができる。
【００１４】
したがって、装飾シートは、有利には、テレビ、冷蔵庫、空気調節装置などのような家電製品、またはスマートフォン、タブレットなどのような電子デバイスの外装材に張りつけられ得る。
【図面の簡単な説明】
【００１５】
【図１ａ】一実施形態による装飾シートのパターン層の平面図。
【図１ｂ】一実施形態による装飾シートのパターン層の３次元スキャン画像の図。
【図２ａ】レンズ間のオーバーラッピングの程度に応じた接続部分の形状を示す図。
【図２ｂ】レンズ間のオーバーラッピングの程度に応じた接続部分の形状を示す図。
【図３ａ】単位面積当たりの個数に基づくランダムに配置された不連続レンズ部の分布パターンを示す画像の図。
【図３ｂ】単位面積当たりの数に基づくランダムに配置された不連続レンズ部の分布パターンを示す画像の図。
【図３ｃ】単位面積当たりの数に基づくランダムに配置された不連続レンズ部の分布パターンを示す画像の図。
【図３ｄ】単位面積当たりの数に基づくランダムに配置された不連続レンズ部の分布パターンを示す画像の図。
【図３ｅ】単位面積当たりの数に基づくランダムに配置された不連続レンズ部の分布パターンを示す画像の図。
【図３ｆ】単位面積当たりの数に基づくランダムに配置された不連続レンズ部の分布パターンを示す画像の図。
【図３ｇ】単位面積当たりの数に基づくランダムに配置された不連続レンズ部の分布パターンを示す画像の図。
【図３ｈ】単位面積当たりの数に基づくランダムに配置された不連続レンズ部の分布パターンを示す画像の図。
【図４ａ】不連続レンズ部によって実現され得る画像の例を示す図。
【図４ｂ】不連続レンズ部によって実現され得る画像の例を示す図。
【図５】デザイン画像を実現するためのパターンの一例を示す図。
【図６ａ】様々なデザイン画像を実現することによって製作されたパターン層の例を示す図。
【図６ｂ】様々なデザイン画像を実現することによって製作されたパターン層の例を示す図。
【図６ｃ】様々なデザイン画像を実現することによって製作されたパターン層の例を示す図。
【図７】個々のマイクロレンズの平面形状の例を示す図。
【図８】個々のマイクロレンズの平面形状の例を示す図。
【図９】直列に配置されたマイクロレンズから構成されたレンチキュラーレンズの平面図。
【図１０ａ】列方向（図９のｙ−ｙ’方向）における一実施形態によるレンチキュラーレンズの断面図。
【図１０ｂ】列方向（図９のｙ−ｙ’方向）における一実施形態によるレンチキュラーレンズの断面図。
【図１０ｃ】列方向（図９のｙ−ｙ’方向）における一実施形態によるレンチキュラーレンズの断面図。
【図１１】個々のマイクロレンズの断面形状（図９のｙ−ｙ’方向）を示す図。
【図１２】個々のマイクロレンズの断面形状（図９のｘ−ｘ’方向）を示す図。
【図１３】非球面定数値によってレンチキュラーレンズの断面（図９のｘ−ｘ’方向）を示す図。
【符号の説明】
【００１６】
Ｌ：レンチキュラーレンズ
Ｎ：不連続レンズ部
Ｒ１からＲ７：列
ｗ：幅
ｄ：不連続レンズ部の長さ
ｘ−ｘ’：列に垂直な方向
ｙ−ｙ’：列方向
Ａ、Ｂ、ＣおよびＤ：マイクロレンズ
Ｓ：基層
ｐ、ｑ、およびｒ：オーバーラッピングポイント
ｌおよびｍ：オーバーラッピングポイント間の距離
ｈおよびｉ：マイクロレンズの高さ
ｊおよびｋ：オーバーラッピングポイントの高さ
【発明を実施するための形態】
【００１７】
以下、本発明が、添付の図面を参照してより具体的に説明される。
【００１８】
図１ａおよび図１ｂは、それぞれ、一実施形態による、共焦点顕微鏡により得られた装飾シートのパターン層の平面図および３次元スキャン画像である。
【００１９】
本発明による装飾シートは、レンチキュラーレンズ（Ｌ）が複数の列（Ｒ１、Ｒ２、Ｒ３など）で配置されているパターン層を備え、複数の列のうちの少なくとも１つは、レンチキュラーレンズが連続的でない少なくとも１つの不連続レンズ部（Ｎ）を有する。
【００２０】
不連続レンズ部
本発明による装飾シートのパターン層において、レンチキュラーレンズが配置されている複数の列のうちの少なくとも１つは、レンチキュラーレンズが連続的でない少なくとも１つの不連続レンズ部を有する。
【００２１】
装飾シートの不連続レンズ部は、レンチキュラーレンズよりも暗くまたは明るく見え得る。加えて、着色層が装飾シートに用いられている場合、またはパターン層のレンチキュラーレンズが染料などにより着色されている場合、不連続レンズ部は、レンチキュラーレンズの色と異なる色として見え得る。したがって、装飾シートの不連続レンズ部は、観察者によって認識され得る。
【００２２】
ここで、不連続レンズ部は数マイクロメートルの程度の非常に小さい寸法を有するので、１つの不連続レンズ部は、観察者の眼によって明確には認識されない。しかしながら、複数の不連続レンズ部が特定のデザインを形成するように所定の規則で配置される場合、それは、観察者の眼によって明確に認識され、それによって、美的感覚を与えることができる。加えて、たとえ不連続レンズ部の個数が増えても不連続レンズ部がランダムな位置に配置される場合、それは、観察者の眼によって明確に認識されるのではなく、不良視認性が低減され、それによって、装飾シートの生産歩留りを高めることができる。
【００２３】
一例によれば、不連続レンズ部（Ｎ）は、パターン層に規則的に配置され得る。好ましくは、パターン層は、２つ以上の不連続レンズ部を有することができ、２つ以上の不連続レンズ部は、規則的なパターン、画像、図形、または文字の形態で配置され得る。
【００２４】
図４ａおよび図４ｂは、不連続レンズ部によって実現され得る画像の例を示す。図面に示されるように、不連続レンズ部が規則的に配置される場合、それは、文字、数字、記号など、または直線の規則的パターンを形成することができる。
【００２５】
加えて、本発明によれば、様々な画像が、不連続レンズ部によって実現され得る。図５、図６ａから図６ｃに示されるように、パターン層は、デザイン画像の種類または複雑さにかかわらず不連続レンズ部によって様々なデザイン画像を実現することができる。
【００２６】
例えば、銀河の画像が図５に示されるように実現される場合、画像内の星のサイズまたは密度は、不連続レンズ部の長さまたは密度によって実現され得る。
【００２７】
加えて、図６ｃ示されるように、パターン層は、染料などを加えることによって着色され、それによって、特定の色を示すことができる。
【００２８】
別の例によれば、不連続レンズ部（Ｎ）は、パターン層にランダムに配置され得る。好ましくは、パターン層は、２つ以上の不連続レンズ部を有することができ、２つ以上の不連続レンズ部は、パターン層においてランダムな位置に配置され得る。
【００２９】
そのような場合、パターン層は、１ｃｍ2当たり１０個から３０００個の量の不連続レンズ部を含むことができる。より好ましくは、パターン層は、１ｃｍ2当たり１００個から１０００個の量の不連続レンズ部を含むことができる。
【００３０】
単位面積当たりの不連続レンズ部の個数が少なすぎる場合、不連続レンズ部は欠陥のように見える場合がある。他方、多すぎる場合、ランダムに分布されている場合でさえ特定の図形が認識される可能性がある。したがって、上述の好ましい範囲内で、不良視認性が最も効果的に低減される得ることが予想される（図３ａから図３ｈを参照）。
【００３１】
図２ａおよび図２ｂは、レンズ間のオーバーラッピングの程度に応じた接続部分の形状を示す。図面に示されるように、不連続レンズ部の長さ（ｄ）は様々な方法で変更することができる。
【００３２】
例えば、不連続レンズ部の長さ（ｄ）は特に限定されない。例えば、長さは、最小で０．１μｍ以上または１μｍ以上であり得、長さは、最大で列の長さと実質的に同じであり得る。
【００３３】
上述のように、本発明による装飾シートは、不良視認性を低減し、レンチキュラーレンズパターンに不連続レンズ部を挿入することによって生産性を改善することができる。
【００３４】
加えて、不連続レンズ部は、ランダムに配置されるか、または文字、形状などを形成するように配置され、その結果、レンチキュラーレンズに固有の色および奥行き感に加えてパターン感を提供することが可能である。特に、従来の装飾シートは、印刷層によって文字および形状を形成しているが、本発明による装飾シートは、印刷層ではなくレンチキュラーレンズのパターン層のみによってそれを実現することができる。
【００３５】
それゆえに、本発明の装飾シートは、従来用いられている印刷層を必ずしも備えず、好ましくは、印刷層を備えず、それによって、処理ステップの数を減らし、装飾シートを薄くし、コストを低減する。
【００３６】
レンチキュラーレンズ
パターン層に設けられたレンチキュラーレンズは、複数の列で配置され、一般的なレンチキュラーレンズ形状を有することができる。
【００３７】
レンチキュラーレンズは、従来のレンチキュラーレンズと同様の細長い形状を有することができる。
【００３８】
図１ａは、一実施形態による装飾シートのパターン層の平面図である。
【００３９】
図１ａに示されるように、レンチキュラーレンズの幅は各列の幅（ｗ）と等しくすることができる。好ましい例として、複数の列の各々は、５μｍから３００μｍの幅を有することができる。より具体的には、それは、１０μｍから２００μｍの範囲または３０μｍから１００μｍの範囲の幅を有することができる。
【００４０】
加えて、レンチキュラーレンズの長さは特に限定されない。例えば、長さは、最小で１μｍ以上であり得、長さは、最大で列の長さと実質的に同じであり得る。
【００４１】
加えて、レンチキュラーレンズの高さは、レンチキュラーレンズの幅（ｗ）の０．０１倍から３倍であり得る。具体的には、それは、レンチキュラーレンズの幅（ｗ）の０．０５倍から１倍であり得る。
【００４２】
加えて、レンチキュラーレンズは、多種多様な断面形状を有することができる。
【００４３】
例えば、図１２に示されるように、レンチキュラーレンズは、パターン層の列方向に垂直な断面（図９におけるｘ−ｘ’方向）において、半円（ｉ）、半楕円（ｉｉ）、放物線（ｉｉｉ）、双曲線（ｉｖ）、先のとがった三角形（ｖ）、または丸みのある三角形（ｖｉ）の断面形状を有することができる。
【００４４】
別の例として、レンチキュラーレンズは、パターン層の列方向に垂直な断面において、円錐定数値によって決定された非球面レンズの断面形状を有することができる。
【００４５】
図１３は、非球面レンズ、および円錐定数値によって決定されたレンチキュラーレンズの断面を示す。具体的には、レンチキュラーレンズの断面形状は、以下の式１で決定され得る。
【００４６】
【数１】
0006946462.tif 000002
【００４７】
上述の式において、ｒは、レンズ断面の中心軸からの距離であり、ｚ（ｒ）は、距離ｒでの頂点からレンズ面までの変位のｚ成分であり、Ｒは曲率半径であり（図１３を参照）、κは表１において以下で定義されるような円錐定数である。
【００４８】
【表１】
0006946462.tif 000003
【００４９】
マイクロレンズのオーバーラッピング
好ましい例によれば、個々のレンチキュラーレンズは、縦列配置された凸面マイクロレンズが部分的に互いにオーバーラップして、それによって、接続される形状を有することができる。
【００５０】
具体例として、図９に示されるように、マイクロレンズは、複数の列（図９におけるｙ−ｙ’方向）で配置され、同じ列中の隣接するマイクロレンズが互いに部分的にオーバーラップして、それによって、接続される形状を有し得る。図９において、マイクロレンズ内の空所部（すなわち、黒部）は不連続レンズ部を示す。
【００５１】
上述したものなどのマイクロレンズによるレンチキュラーレンズの構成は、従来のレンチキュラーレンズの特性を有し、さらに、各列において部分的にオーバーラップする接続部分を有する。したがって、それは、高温または高湿環境においてさえ樹脂の影響を低減することによって、従来のＵＶ硬化製品の弱点である皺寄り現象を防止する効果を作り出す。
【００５２】
上から見ると、マイクロレンズの形状は、図９に示されるように列方向（ｙ−ｙ’）に実質的に長くされ得る。例えば、パターン層を上から見ると、マイクロレンズが直列に配置されている複数の列（ｙ−ｙ’）の各々の幅は、例えば、５μｍから３００μｍの範囲にあり得る。より具体的には、それは、１０μｍから２００μｍの範囲または３０μｍから１００μｍの範囲にあり得る。
【００５３】
個々のマイクロレンズのサイズは、列の横方向において５μｍから３００μｍの範囲にあり得る。より具体的には、それは、１０μｍから２００μｍの範囲または３０μｍから１００μｍの範囲にあり得る。それは、列の長手方向において１０μｍから３０００μｍの範囲または３０μｍから２０００μｍの範囲にあり得る。
【００５４】
加えて、同じ列において個々のレンチキュラーレンズを構成するマイクロレンズのオーバーラッピングポイント間の距離は、オーバーラッピングの程度に応じて変更され得る。例えば、それは、３０μｍから２０００μｍの範囲にあり得る。
【００５５】
図７および図８は、個々のマイクロレンズの平面形状の例を示す。
【００５６】
図７に示されるように、個々のマイクロレンズは、平面図で見ると両端部に向かって狭くなる形状を有することができる。具体的には、マイクロレンズは、３つの部分、すなわち、平面図において頭部（１０）、本体（２０）、および尾部（３０）に分けられる。これらの３つの部分は、互いに一体化して接続される。
【００５７】
頭部（１０）および尾部（３０）は、幅（ｗ）が端部に向かって狭くなる形状を有することができる。例えば、それは、半円、半楕円、放物線、先のとがった三角形、または丸みのある三角形の形状を有することができる。
【００５８】
頭部（１０）および尾部（３０）は、同じ長さおよび形状を有することができる。しかし、それらは、必要に応じて異なる形状または長さを有するように設計されてもよい。
【００５９】
本体（２０）は、全体的に同じ幅（ｗ）を有することができる。
【００６０】
図８に示されるように、個々のマイクロレンズは、頭部、本体、および尾部の長さ（または寸法）を調節することによって、多種多様の形状を有することができる。
【００６１】
例えば、頭部および尾部は、同じ長さを有することができる。本体は、１０μｍから３０００μｍまたは３０μｍから２０００μｍの長さを有することができる。
【００６２】
加えて、好ましくは、本体の幅に対する頭部または尾部の長さの比は、０．１から３の範囲にあり得る。より具体的には、それは、０．１から１．５の範囲に、０．３から１．５の範囲に、または０．４から０．５の範囲にあり得る。不連続レンズ部の形状は、上述の好ましい範囲で製作される場合に望ましいものであり得る。
【００６３】
具体例によれば、マイクロレンズは、平面図において頭部、本体、および尾部の３つの部分に分けられ、これらの３つの部分は、互いに一体化して接続され、頭部および尾部は、同じ長さを有し、本体は、１０μｍから３０００μｍまたは３０μｍから２０００μｍの長さを有し、頭部および尾部は、幅が端部に向かって狭くなる形状を有し、本体は、全体的に同じ幅を有し、本体の幅に対する頭部または尾部の長さの比は、０．１から１．５の範囲にある。
【００６４】
図１０ａから図１０ｃは、列方向（図９のｙ−ｙ’方向）における一実施形態によるレンチキュラーレンズの断面図である。
【００６５】
図１０ａに示されるように、一実施形態によるレンチキュラーレンズは、縦列配置された凸面マイクロレンズが部分的に互いにオーバーラップして、それによって、接続されるように形成される。そのような場合、レンチキュラーレンズの長さは、部分的にオーバーラップして、それによって、接続されているマイクロレンズの全長（Ｌ１）に対応する。
【００６６】
加えて、図１０ｂに示されるように、個々のレンチキュラーレンズを構成するように同じ列に一直線に配置されたマイクロレンズ（Ａ、Ｂ、Ｃ、およびＤ）は、例えば、１０μｍから３０００μｍの範囲でそれらのオーバーラッピングポイント（ｌ、ｍ）間の距離（ｐ、ｑ、ｒ）を有することができ、または距離は、３０μｍから２０００μｍの範囲または３００μｍから７００μｍの範囲にあり得る。特に、マイクロレンズが互いにオーバーラップするポイント間の距離は、同じ列においてランダムに変更されてもよい。オーバーラッピングおよび接続部分は上述のようにランダムに形成されるので、意図しないパターンが視覚的に認識される現象を防止することが可能である。
【００６７】
加えて、マイクロレンズ間のオーバーラッピングの程度はランダムであってもよい。一例として図１０ｂのマイクロレンズ（Ｃ）を参照すると、隣接するレンズ（Ｂ、Ｄ）とのオーバーラッピングポイント（ｑ、ｒ）の基層（Ｓ）からの高さ（ｊ、ｋ）は、互いに異なってもよく、オーバーラッピングポイントの高さ（ｊ、ｋ）は、同じ列内でランダムに変動してもよい。例えば、オーバーラッピングポイントの高さ（ｊ、ｋ）は、０μｍよりも大きく３００μｍよりも小さい範囲内でランダムであってもよく、または０μｍよりも大きく５０μｍよりも小さい範囲内でランダムであってもよい。
【００６８】
加えて、個々のレンチキュラーレンズを構成するマイクロレンズは、同じ列内で互いに異なる高さ（ｈ、ｉ）を有することができる。マイクロレンズは上述のように異なる高さで形成されるので、ウエットアウト現象を防止することが可能である。例えば、マイクロレンズは同じ列内で互いに異なる高さを有し、マイクロレンズの最小高さに対する最大高さの比は、１よりも大きく３まで、または１よりも大きく１．５までであり得る。加えて、マイクロレンズの最大高さは、例えば、１μｍから３００μｍまたは１μｍから５０μｍであり得る。
【００６９】
加えて、図１０ｃに示されるように、パターン層の列方向と平行な断面において、２つのマイクロレンズ（Ｂ、Ｃ）がオーバーラップするポイント（ｑ）のところで２つの隣接するマイクロレンズ（Ｂ、Ｃ）の表面に接線（ｑ−ｂ、ｑ−ｃ）が描かれるとき、接線間の角度（ａ）は、１５０°から１８０°未満に及び得る。接線間の角度が上述の範囲内にある場合、オーバーラッピングの程度が増加し、不連続レンズ部の非視認性は改善され得る（図２ｂを参照）。その結果、意図しないパターンが認識される現象を防止することがより有利になり得る。
【００７０】
加えて、図１１示されるように、列方向（図９のｙ−ｙ’方向）の断面形状を見たとき、オーバーラップ部分が考慮されない場合、個々のマイクロレンズは、丸いコーナーをもつ台形断面形状を有するかまたは半楕円断面形状を有する。例えば、それは、長い平坦なレンズ本体（ｉ）を有するか、短い平坦なレンズ本体（ｉｉ）を有するか、または平坦なレンズ本体を有しない形状の断面を有することができる。そのような場合、マイクロレンズのオーバーラッピングは、断面形状においてレンズの左側および右側の曲線部分に形成され得る。
【００７１】
加えて、図１２に示されるように、マイクロレンズは、パターン層の列方向に垂直な断面において多種多様の断面形状を有することができる。例えば、パターン層の列方向に垂直な断面（図９のｘ−ｘ’方向）が観察されたとき、それは、半円（ｉ）、半楕円（ｉｉ）、放物線（ｉｉｉ）、双曲線（ｉｖ）、先のとがった三角形（ｖ）、または丸みのある三角形（ｖｉ）の断面形状を有することができる。好ましくは、半楕円または放物形などの非球面形状がマイクロレンズの断面として採用される場合、奥行き感を改善し、観察角度に応じて様々な色を示すことが可能である。例えば、マイクロレンズの断面形状は、非球面レンズ公式および円錐定数値を使用して決定され得る。具体的には、それは、図１３および上述したような式１によって決定され得る。
【００７２】
装飾シートの層構成
一例によれば、本発明の装飾シートは、パターン層の一方の面に形成された基層をさらに備えることができる。
【００７３】
別の例によれば、本発明の装飾シートは、パターン層の一方の面に形成された基層と、基層の他方の面に形成された接着剤層とを備えることができる。そのような場合、接着剤層は、飛散防止機能を有することができる。
【００７４】
さらなる別の例によれば、本発明の装飾シートは、パターン層の一方の面に形成された基層と、基層の他方の面に形成された接着剤層と、接着剤層の表面にラミネートされた剥離フィルムとをさらに備えることができる。
【００７５】
装飾シートは、テレビ、冷蔵庫、空気調節装置などのような家電製品、またはスマートフォン、タブレットなどのような電子デバイスの外装材に張りつけられ、それによって、所望の色およびパターンを示すことができる。
【００７６】
一例として、装飾シートは、底層として透明プラスチックまたはガラス板を有するモバイルデバイスなどのケースに張りつけられ得る。そのような場合、装飾シートは、着色層／パターン層／基層／接着剤層／剥離フィルムのラミネート構造を有することができ、接着剤層は、透明プラスチックまたはガラス板の内面に付けられる。
【００７７】
別の例として、装飾シートは、底層として圧延鋼シートを有する大きい白物家電製品などの筐体に張りつけられ得る。そのような場合、装飾シートは、パターン層／基層／着色層／接着剤層のラミネート構造を有することができ、接着剤層は、家電製品の外面に付けられる。
【００７８】
本発明の装飾シートは、それ自体のレンズパターンのおかげでデザインを実現することができるので、従来の装飾シートで用いられている印刷層は必ずしも必要とされない。しかしながら、装飾シートは、光の吸収、色の表示などのためにパターン層の一方の面に印刷層をさらに備えてもよい。
【００７９】
上述のような装飾シートのラミネート構造は、例示であり、張りつけられる製品に応じておよび必要に応じて様々な方法で変更され得る。加えて、本発明の装飾シートは、上述されたものに加えて追加の機能層をさらに備えることができる。
【００８０】
以下、各構成層の材料および特徴が、詳細に説明される。
【００８１】
基層は、透明フィルム、例えば、透明ポリマーフィルムであり得る。基層は、ポリオレフィン、ポリスチレン、ポリカーボネート、ポリエステル、セルロース、アクリル、ポリ塩化ビニル、およびそれらの混合物からなる群から選択された高分子樹脂を備えることができる。具体的には、基層は、ポリエチレン、ポリプロピレン、ポリスチレン、ポリカーボネート、ポリエチレンナフタレート、ポリエチレンテレフタレート、ポリブチレンテレフタレート、トリアセチルセルロース、アクリル、ポリ塩化ビニル、およびそれらの混合物からなる群から選択された高分子樹脂を備えることができる。より具体的には、基層は、高い耐久性、機械的強度、および透明性のためにポリエチレンテレフタレートフィルムであり得る。
【００８２】
基層は、機械的強度または光学的機能を強化するために必要に応じて一軸でまたは二軸で延伸されてもよい。
【００８３】
基層は、材料に応じて好ましい厚さを有することができる。具体的には、基層は、１００μｍ以下の厚さを有することができる。より具体的には、基層は、２３μｍから１００μｍの厚さを有することができる。基層の厚さが上述の範囲内にある場合、それは、モバイルデバイスを薄くするのに好適である。
【００８４】
パターン層は、レンチキュラーレンズのパターン層であり得、上述のような構造および特徴を有し得る。
【００８５】
パターン層は、光硬化性樹脂で製作され得、マイクロレンズは、基層と同じ材料または異なる材料で製作され得る。光硬化性樹脂は、紫外線または電子ビームなどの活性エネルギー線により硬化可能である限り特に限定されない。その具体的な例には、ポリエステル；エポキシ樹脂；ポリエステル（メタ）アクリレート、エポキシ（メタ）アクリレート、およびウレタン（メタ）アクリレートなどの（メタ）アクリレート樹脂；およびそれらの混合物が含まれる。それらの中の（メタ）アクリレート樹脂は、光学特性の観点から特に好ましい。
【００８６】
光硬化性樹脂は、１．４１から１．５９の範囲の屈折率を有することが好ましい。硬化の際の樹脂の屈折率が１．４１以上である場合、全光線透過率の増加に起因する光拡散効果の減少および隠蔽力の低下を防止することが可能である。それが１．５９以下である場合、全光線透過率の減少に起因する輝度の低下を防止することが可能である。
【００８７】
着色層および印刷層は、装飾シートに色またはテクスチャを与えるためにパターン層の一方の面または基層の一方の面に形成され得る。
【００８８】
着色層は、例えば、１つまたは複数の種類の着色無機粒子または着色金属粒子が堆積されている複合蒸着層であり得る。
【００８９】
印刷層は、着色剤を備えることができる。着色剤は、黒色染料または顔料であり得る。例えば、それは、カーボンブラック、反応性染料、アゾ色素、ニグロシン、ペリレン顔料、およびアニリンブラックなどの有機着色剤であり得る。着色剤は、印刷層に一様に分散され得る。
【００９０】
接着剤層は光学的に透明な接着剤（ＯＣＡ）で製作され、それは、空気層を除去し、視認性を改善し、断熱性能を改善することができる。接着剤層は、例えば、ガラスで製作されたディスプレイへの付着のために使用され得る。
【００９１】
接着剤層は、高分子樹脂と硬化剤とを備えることができる。高分子樹脂は、特に限定されないが、紫外線によって黄変されず、ＵＶ吸収剤の良好な分散性を有する樹脂であり得る。例えば、高分子樹脂は、ポリエステル樹脂、アクリル樹脂、アミノ樹脂などであり得る。高分子樹脂は、単独で使用されてもよいし、またはそれの２種類以上の共重合体もしくは混合物として使用されてもよい。それらの中のアクリル樹脂は、光学的性質、耐候性、基板への接着性などに優れているので好ましい。
【００９２】
アクリル樹脂は、少なくとも１つのアクリルモノマーと、少なくとも１つのカルボキシル基含有不飽和モノマーとを重合させることによって形成され得る。具体的には、アクリルモノマーの例には、メチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、エチルヘキシル（メタ）アクリレート、テトラヒドロパーフリル（メタ）アクリレート、ヒドロキシエチル（メタ）アクリレート、２−ヒドロキシプロピル（メタ）アクリレート、２−ヒドロキシ−３−クロロプロピル（メタ）アクリレート、４−ヒドロキシブチル（メタ）アクリレート、グリセロール（メタ）アクリレート、メチルα−ヒドロキシメチルアクリレート、エチルα−ヒドロキシメチルアクリレート、プロピルα−ヒドロキシメチルアクリレート、ブチルα−ヒドロキシメチルアクリレート、２ーメトキシエチル（メタ）アクリレート、３−メトキシブチル（メタ）アクリレート、エトキシジエチレングリコール（メタ）アクリレート、メトキシトリエチレングリコール（メタ）アクリレート、メトキシトリプロピレングリコール（メタ）アクリレート、ポリ（エチレングリコール）メチルエーテル（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ヘプタデカフルオロデシル（メタ）アクリレート、イソボルニル（メタ）アクリレート、ジシクロペンタニル（メタ）アクリレート、ジシクロペンテニル（メタ）アクリレート、ジシクロペンタニルオキシエチル（メタ）アクリレート、ジシクロペンテニルオキシエチル（メタ）アクリレート、およびそれらの混合物が含まれる。
【００９３】
より具体的には、アクリルモノマーの例は、メチル（メタ）アクリレート、ブチル（メタ）アクリレート、およびそれらの混合物を含むことができる。具体的には、カルボキシル基含有不飽和モノマーの例には、アクリル酸、メタクリル酸、２−（メタ）アクリロイルオキシ酢酸、３−（メタ）アクリロイルオキシプロピル酸、４−（メタ）アクリロイルオキシ酪酸、アクリル酸二量体、イタコン酸、マレイン酸、無水マレイン酸、およびそれらの混合物が含まれる。より具体的には、カルボキシル基含有不飽和モノマーの例は、メタクリル酸、アクリル酸、およびそれらの混合物を含むことができる。
【００９４】
硬化剤は、高分子樹脂を硬化させることができる物質である限り特に限定されない。具体的には、それは、紫外線によって黄変されないイソシアネート硬化剤、エポキシ硬化剤、およびアジリジン硬化剤からなる群から選択され得る。加えて、硬化剤は、接着剤層の総重量に基づいて０．２重量％から０．５重量％の量で使用され得る。具体的には、硬化剤は、接着剤層の総重量に基づいて０．３重量％から０．５重量％、０．３重量％から０．４５重量％、または０．３５重量％から０．４５の量％の量で使用され得る。硬化剤の含有量が上述の範囲内にある場合、接着強度は低下せず、耐久性は、耐熱性および耐湿性環境において低下しない。
【００９５】
加えて、接着剤層は、酸化防止剤、光安定剤（例えば、ヒンダードアミン系光安定剤）、ＵＶ硬化のための光開始剤などのような添加剤をさらに備えることができる。
【００９６】
光開始剤は、ベンゾフェノン系、チオキサントン系、α−ヒドロキシケトン系、ケトン系、フェニルグリオキシレート系、およびアシルホスフィンオキシド系からなる群から選択された少なくとも１つであり得る。
【００９７】
接着剤層は、ガラスが破損されたときのガラスの飛散を防止するために、１０Ｎ／インチ以上のガラスへの接着強度を有することができる。具体的には、接着剤層は、１０Ｎ／インチから３０Ｎ／インチ以上のガラスへの接着強度を有することができる。接着剤層の接着強度が上述の範囲内にある場合、飛散防止効果が十分であること、および欠陥製品が工程中に製造された場合にガラスを再利用するための再処理工程が容易に実行され得ることという利点がある。
【００９８】
接着剤層は、工程および外部異物による圧縮性を抑制するために−４０℃以上のガラス転移温度を有することができる。具体的には、接着剤層は、−４０℃から−１５℃または−３０℃から−１５℃のガラス転移温度を有することができる。
【００９９】
接着剤層は、１０μｍから３０μｍの厚さを有することができる。具体的には、それは、１５μｍから２５μｍ、１５μｍから２０μｍ、または１５μｍから１７μｍの厚さを有することができる。接着剤層の厚さが上述の範囲内にある場合、圧縮に起因する欠陥を防止し、接着剤層の接着強度を適切なレベルに維持することが可能である。
【０１００】
剥離フィルムは、ポリエチレンテレフタレートまたはポリカーボネートなどのプラスチックフィルムであり得、表面がシリコーンで剥離被覆されたフィルムであり得る。
【０１０１】
剥離フィルムは、５０μｍ以上、５０μｍから１２５μｍ、または７５μｍから１２５μｍの厚さを有することができる。
【０１０２】
剥離フィルムは、Ｔｅｓａ  ７４７５テープに対して１００グラム重／インチ以下の層間剥離力を有することができる。具体的には、剥離フィルムは、Ｔｅｓａ  ７４７５テープに対して８０グラム重／インチ以下、または３０グラム重／インチから８０グラム重／インチの層間剥離力を有することができる。剥離フィルムの層間剥離力が上述の範囲内にある場合、接着剤層と剥離フィルムとの間の層間剥離に起因する欠陥は、後続の工程の堆積ステップ中に発生せず、剥離フィルムは、ガラスへの接着の前に容易に剥がされ得る。
【０１０３】
高温の印刷工程におけるカールを防止するために、パターン層、基層、および接着剤層が順番にラミネートされたフィルムと、剥離フィルムとは、５０％以下の熱収縮ずれを有することができる。熱収縮ずれが５０％以下である場合、印刷工程の繰り返しの際にカールが発生せず、その結果，フィルムの寸法安定性は後続の工程に対して保証され得る。
【０１０４】
装飾シートの製造
装飾シートは、基層上にパターン層を形成することを備える工程によって製造され得、レンチキュラーレンズは、パターン層に複数の列で配置され、複数の列のうちの少なくとも１つは、レンチキュラーレンズが連続的でない少なくとも１つの不連続レンズ部を有する。
【０１０５】
パターン層は様々な工程を使用して形成され得る。
【０１０６】
例えば、高精度パターン加工装置が、マイクロレンズパターンを有するモールドを物理的に加工するために使用され得、次いで、パターン層は、パターンが刻まれたモールド上に光硬化性樹脂をＵＶキャストすることによって得られる。
【０１０７】
そのような場合、不連続レンズ部の位置、長さなどは、プログラムすることによって決定され得る。
【０１０８】
具体的には、規則的パターン、画像、図形、または文字を実現するために、実現されるべきデザインを微細ドットに細分して単位ドット（unit dots）の個数およびその個々の座標を計算し、続いて、この情報をパターン加工装置に入力し、それを事前プログラムし、それによって、不連続レンズ部が実現される。
【０１０９】
例えば、実現されるべきデザインが白黒画像に変えられ、レンチキュラーレンズ部分が白黒画像の黒部分または白部分のいずれかに割り当てられ、不連続レンズ部が他方に割り当てられるようにプログラムすることが可能である。
【０１１０】
具体例として、パターン層は、実現されるべきデザインを白黒画像に変えるステップと、反転画像を生成するために白黒画像の黒部分と白部分とを反転させるステップと、反転画像の黒部分にレンチキュラーレンズを割り当て、反転画像の白部分に不連続レンズ部を割り当てるようにパターン加工装置をプログラムするステップと、パターン加工装置によって基層上にパターン層を形成するステップとによって形成され得る。
【０１１１】
加えて、ランダムな位置に不連続レンズ部を実現するために、ランダムな座標が、単位面積当たりの所望の数を用いて計算され、続いて、この情報をパターン加工装置に入力し、それを事前プログラムし、それによって、不連続レンズ部が実現される。ランダム座標を作り出すための方法は、例えば、分子動力学法、モンテカルロ法などであり得る。
【０１１２】
以下、本発明が、例を参照して詳細に説明される。
【０１１３】
しかしながら、以下の例は本発明の例示であり、本発明の範囲は以下の例に限定されない。
【０１１４】
例１：レンチキュラーレンズ間の間隔距離に応じた形状
パターン層が、半円断面形状を有するレンチキュラーレンズ間のオーバーラッピングまたは間隔の程度を変更することによって作り出された。光学顕微鏡画像が図２ａに示されている。
【０１１５】
加えて、図２ｂは不連続レンズ部の拡大図であり、レンチキュラーレンズは黒で示されており、不連続レンズ部は白で示されている。
【０１１６】
図２ａおよび図２ｂにおいて、レンチキュラーレンズのオーバーラッピングの程度が左から右に向かって増加するにつれて、不連続レンズ部の長さ（ｄ）は徐々に減少する。
【０１１７】
例２：不連続レンズ部のランダムな形成
パターン層の単位面積（１ｃｍ2）当たりの不連続レンズ部の個数が５個、１０個、２０個、１００個、５００個、１０００個、２０００個、および３０００個へと変更された画像が、それぞれ、図３ａから図３ｈに示される。これらの画像において、不連続レンズ部は白ドットで示されており、黒色は、レンチキュラーレンズが存在する部分を示している。
【０１１８】
不連続レンズ部のランダムな位置は分子動力学法によって計算された。その結果、図３ａから図３ｈに示されるように、不連続レンズ部は、可能な限りオーバーラップしない分布を有しながらランダムに分布され、それによって、不良視認性を低減している。
【０１１９】
しかしながら、単位面積当たりの個数が１００個未満であった場合、個数が少ないので、不連続レンズ部が、図３ａから図３ｃに示されるように、欠陥として現れる可能性があった。加えて、単位面積当たりの個数が１０００個を超えた場合、それらがランダムに分布されているにもかかわらず、指紋に似ているパターンが、図３ｇおよび図３ｈに示されるように認められた。
【０１２０】
それゆえに、単位面積（１ｃｍ2）当たりの個数が１００個から１０００個であった場合、図３ｄから図３ｆに示されるように、不良視認性は最も効果的に低減されることが見極められた。
【０１２１】
例３：装飾シートの製造
ステップ（１）：基層の調製
５０μｍの厚さを有するポリエチレンテレフタレート（ＰＥＴ）フィルム（製造業者：ＳＫＣ、製品名：Ｖ７２００）が、基層として調製された。
【０１２２】
ステップ（２）：接着剤層の形成
９９．４重量部のアクリル樹脂、０．４重量部の硬化剤、および０．２重量部の紫外線吸収剤が混合され、その混合物が有機溶媒（固形分：１５重量％）に溶解され、それによって、光学的に透明な接着剤樹脂組成物が得られた。光学的に透明な接着剤組成物は、基層の一方の面に被覆され、１００℃で３分間乾燥され、２０μｍの乾燥厚さを有する接着剤層を形成した。
【０１２３】
その後、１００μｍの厚さを有する剥離フィルムが、接着剤層の表面にラミネートされ、続いて、それは４０℃で３日間エージングされた。
【０１２４】
ステップ（３）：レンチキュラーレンズのパターン層の形成
レンチキュラーレンズパターンのモールドが、高精度パターン加工装置を使用することによってパターンローラの表面に物理的に加工された。次いで、パターンが刻まれたモールドを使用して原樹脂の他方の面上に光硬化性樹脂をＵＶキャストすることによって、パターン層が得られた。
以下に、本願出願の当初の特許請求の範囲に記載された発明を付記する。
［１］  レンチキュラーレンズが複数の列で配置されるパターン層を備える装飾シートであって、
前記複数の列のうちの少なくとも１つは、前記レンチキュラーレンズが連続的でない少なくとも１つの不連続レンズ部を有する、装飾シート。
［２］  前記パターン層が、２つ以上の前記不連続レンズ部を有し、
前記２つ以上の不連続レンズ部が、前記パターン層においてランダムな位置に配置される、［１］に記載の装飾シート。
［３］  前記パターン層が、１ｃｍ2当たり１０個から３０００個の量の前記不連続レンズ部を含む、［２］に記載の装飾シート。
［４］  前記パターン層が、１ｃｍ2当たり１００個から１０００個の量の前記不連続レンズ部を含む、［２］に記載の装飾シート。
［５］  前記パターン層が、２つ以上の前記不連続レンズ部を有し、
前記２つ以上の不連続レンズ部が、規則的なパターン、画像、図形、または文字の形態で配置される、［１］に記載の装飾シート。
［６］  前記複数の列の各々が、５μｍから３００μｍの幅を有する、［１］に記載の装飾シート。
［７］  前記レンチキュラーレンズが、前記パターン層の列方向に垂直な断面において、円錐定数値によって決定された非球面レンズの断面形状を有する、［１］に記載の装飾シート。
［８］  前記パターン層の一方の面に形成された基層と、
前記基層の他方の面に形成された接着剤層と
をさらに備える、［１］に記載の装飾シート。
［９］  個々のレンチキュラーレンズは、縦列配置された凸面マイクロレンズが部分的に互いにオーバーラップして、それによって、接続される形状を有することができる、［１］に記載の装飾シート。
［１０］  前記マイクロレンズが互いにオーバーラップするポイント間の距離が、同じ列においてランダムに変更される、［９］に記載の装飾シート。
［１１］  前記マイクロレンズが互いにオーバーラップするポイントの高さが、同じ列においてランダムに変更される、［９］に記載の装飾シート。
［１２］  前記パターン層の列方向と平行な断面において、２つの隣接するマイクロレンズがオーバーラップするポイントのところで前記２つのマイクロレンズの表面に接線が描かれるとき、前記接線間の角度が、１５０°から１８０°未満に及ぶ、［９］に記載の装飾シート。
［１３］  前記マイクロレンズが、平面図において頭部、本体、および尾部の３つの部分に分けられ、これらの３つの部分が、互いに一体化して接続され、前記頭部および前記尾部が、同じ長さを有し、前記本体が、１０μｍから３０００μｍの長さを有し、前記頭部および前記尾部は、幅が端部に向かって狭くなる形状を有し、前記本体が、全体的に同じ幅を有し、前記本体の前記幅に対する前記頭部または前記尾部の前記長さの比が、０．１から１．５の範囲にある、［９］に記載の装飾シート。
［１４］  基層上にパターン層を形成することを備える、装飾シートを製造するための方法であって、レンチキュラーレンズが前記パターン層に複数の列で配置され、前記複数の列のうちの少なくとも１つは、前記レンチキュラーレンズが連続的でない少なくとも１つの不連続レンズ部を有する、装飾シートを製造するための方法。
［１５］  前記パターン層が、
実現されるべきデザインを白黒画像に変えるステップと、
反転画像を生成するために前記白黒画像の黒部分と白部分とを反転させるステップと、  前記反転画像の前記黒部分にレンチキュラーレンズを割り当て、前記反転画像の前記白部分に不連続レンズ部を割り当てるようにパターン加工装置をプログラムするステップと、
前記パターン加工装置によって前記基層上にパターン層を形成するステップと
によって形成される、［１４］に記載の装飾シートを製造するための方法。
【図１ａ】
0006946462.tif 000004
【図１ｂ】
0006946462.tif 000005
【図２ａ】
0006946462.tif 000006
【図２ｂ】
0006946462.tif 000007
【図３ａ】
0006946462.tif 000008
【図３ｂ】
0006946462.tif 000009
【図３ｃ】
0006946462.tif 000010
【図３ｄ】
0006946462.tif 000011
【図３ｅ】
0006946462.tif 000012
【図３ｆ】
0006946462.tif 000013
【図３ｇ】
0006946462.tif 000014
【図３ｈ】
0006946462.tif 000015
【図４ａ】
0006946462.tif 000016
【図４ｂ】
0006946462.tif 000017
【図５】
0006946462.tif 000018
【図６ａ】
0006946462.tif 000019
【図６ｂ】
0006946462.tif 000020
【図６ｃ】
0006946462.tif 000021
【図７】
0006946462.tif 000022
【図８】
0006946462.tif 000023
【図９】
0006946462.tif 000024
【図１０ａ】
0006946462.tif 000025
【図１０ｂ】
0006946462.tif 000026
【図１０ｃ】
0006946462.tif 000027
【図１１】
0006946462.tif 000028
【図１２】
0006946462.tif 000029
【図１３】
0006946462.tif 000030